(57)【要約】【課題】一定の主軸線の回りで大きくても６０°の半角以内の角度を有する合焦光を発生するＬＥＤ光源用光学デバイスであって、多数の主軸線を定めることができるＬＥＤ光源用光学デバイスを利用できるようにすることにある。【解決手段】ＬＥＤ光源（６）から射出された光の目標再生を行う光学デバイスおよび光学部品。本発明の光学デバイスは、少なくとも２つの個別部品を有し、これらの個別部品の１つは中実導波体の形態をなす第一個別光学部品（１０）であり、他の個別部品はＬＥＤ光源に連結するためのものである。第一個別光学部品（１０）は、デカルト座標系におけるｙ方向の長さを有し、該ｙ方向の長さは、ｚ方向の長さに等しいかこれより小さくかつｘ方向の長さに等しいかこれより小さい。ｘ−ｙ平面に投影された第一個別光学部品（１０）のエンベロープは本質的に矩形を形成する。【選択図】図１
2009510677.tif 000002
【特許請求の範囲】
【請求項１】
少なくとも２つの個別部品を有し、これらの個別部品の１つは中実導波体の形態をなす第一個別光学部品（１０）であり、他の個別部品（１０”）はＬＥＤ光源に連結する目的を遂行する、ＬＥＤ光源から射出された光の目標再生を行う光学デバイスにおいて、第一個別光学部品（１０）は、デカルト座標系におけるｙ方向の長手方向長さを有し、該ｙ方向の長手方向長さは、ｚ方向の長手方向長さに等しいかこれより小さくかつｘ方向の長手方向長さに等しいかこれより小さく、ｘ−ｙ平面に投影された第一個別光学部品（１０）のエンベロープは本質的に矩形を呈し、第一個別光学部品（１０）は、ｘ−ｙ平面から出発して、ｙに沿って測定した最大幅（ＢY、max）の１／４の最大値まで、ｚ方向にテーパしていることを特徴とする光学デバイス。
【請求項２】
前記第一個別光学部品（１０）の（−ｘ）−（−ｙ）側面およびｙ−ｚ側面または（−ｙ）−（−ｚ）側面は、光の主要出口面であることを特徴とする請求項１記載の光学デバイス。
【請求項３】
前記第一個別光学部品（１０）の切欠部（２２）内には、中実導波体の形態をなす第二個別光学部品（１０’）が配置され、該第二個別光学部品（１０’）は、デカルト座標系におけるｚ方向の長手方向長さを有し、該ｚ方向の長手方向長さは、ｙ方向の長手方向長さに等しいかこれより小さくかつｘ方向の長手方向長さに等しいかこれより小さく、第二個別光学部品（１０’）のｘ−ｙ平面に投影されたエンベロープは本質的に矩形を呈しかつｘ−ｙ平面から生じており、第二個別光学部品（１０’）は、ｘに沿って測定した最大幅（ＢX、max）の１／４の最大値まで、ｚ方向にテーパしていることを特徴とする請求項１または２記載の光学デバイス。
【請求項４】
前記第一個別光学部品（１０）および／または第二個別光学部品（１０’）は、それぞれ光学的機能を遂行する多数の外面（７、１４、１６、２０）により境界を定められていることを特徴とする請求項３記載の光学デバイス。
【請求項５】
前記第一個別光学部品（１０）および第二個別光学部品（１０’）は、これらのｘ、ｙ軸線が交替して現われるように相互回転態様で組立てられることを特徴とする請求項３および４記載の光学デバイス。
【請求項６】
前記第一個別光学部品（１０）および第二個別光学部品（１０’）は、これらのｘ、ｙ、ｚ軸線が互いに任意の所望角度をなすようにして組立てられることを特徴とする請求項３から５のいずれか１項記載の光学デバイス。
【請求項７】
前記第一個別光学部品（１０）および第二個別光学部品（１０’）は、強制閉態様で組立てられるか、互いに接合されることを特徴とする請求項３から６のいずれか１項記載の光学デバイス。
【請求項８】
前記ＬＥＤ光源（６）に連結する目的を遂行する前記他の個別部品（１０”）は、個別光学部品として光学デバイス（３０）に一体化される中実導波体と同様なものであることを特徴とする請求項１から７のいずれか１項記載の光学デバイス。
【請求項９】
少なくとも１つの個別光学部品（１０、１０’、１０”）に、任意の所望形状をなす１つ以上のキャビティ（１、２）が設けられ、該キャビティの境界面は、個別光学部品（１０、１０’、１０”）の内部でミラーおよび／またはビームスプリッタとして作用し、キャビティ（１、２）の長手方向長さはｙ方向またはｘ方向に平行に延びており、キャビティの形態は、好ましくは、ｘ−ｚ側面から（−ｘ）−（−ｚ）側面まで、またはｙ−ｚ側面から（−ｙ）−（−ｚ）側面までの連続キャビティ（１、２）であることを特徴とする請求項１から７のいずれか１項記載の光学デバイス。
【請求項１０】
前記第一個別光学部品（１０）、第二個別光学部品（１０’）および他の個別光学部品（１０”）は、１から少なくとも±０．１だけ偏差した屈折率を有していることを特徴とする請求項１から９のいずれか１項記載の光学デバイス。
【発明の詳細な説明】
【技術分野】
【０００１】
本発明は、ＬＥＤ光源用の光学デバイスに関する。
【背景技術】
【０００２】
ＬＥＤ光源は、非常に広い立体角で光を射出する。従って、ＬＥＤ光源は、実際に、光学素子を用いることなく照明用または装飾用としては殆ど使用されていない。
ＬＥＤ光源用の種々の光学素子が知られており、これらの光学素子の目的は、広く散乱されたＬＥＤ光を合焦させること、またはＬＥＤ光を特定立体角に偏向させることにある。この一例が下記特許文献１に開示されており、この例では、特定ビーム経路を使用する中実導波管がハウジング内に配置されており、並列に配置された２つのＬＥＤ光源の光を２つの別々の光出口面に偏向できるようになっている。
【０００３】
【特許文献１】米国特許第５３４９５０４号明細書
【発明の開示】
【発明が解決しようとする課題】
【０００４】
本発明の要旨は、特許請求の範囲の請求項１の前提部の特徴を備えた光学デバイスにある。
本発明の目的は、一定の主軸線の回りで大きくても６０°の半角（half angle）以内の角度を有する合焦光を発生するＬＥＤ光源用光学デバイスであって、多数の主軸線を定めることができるＬＥＤ光源用光学デバイスを利用できるようにすることにある。
【課題を解決するための手段】
【０００５】
上記目的は、特許請求の範囲の請求項１の特徴を有する光学デバイスにより達成される。このような光学デバイスは２つ以上の個別部品を有し、１つの個別部品はＬＥＤ光源への連結を行うことを目的とし、かつ少なくとも１つの第一個別光学部品に連結できる。少なくとも１つの第一個別光学部品は中実導波体であり、そのｙ方向の長手方向長さは、ｚ方向の長手方向長さより小さく、本体の長手方向長さは、ｘ方向の長手方向長さに等しいかこれより小さい。ｘ−ｙ平面に投影されたエンベロープは本質的に矩形を呈する。本体は、ｘ−ｙ平面から出発して、本体のｙ−ｚ側面の任意の所望態様により、ｙ方向の最大幅（ＢY、max）の１／４の最大値まで、ｚ方向にテーパしている。光学デバイスは、本質的に矩形の平面を有する本体により、ＬＥＤ光源からの光を合焦させる目的を遂行する。これは、現在使用されている照明の殆どが矩形であるため、特に有利である。
【０００６】
第一個別光学部品（従って、その光学的にアクティブな部分においてこのような少なくとも１つの個別光学部品を有する光学デバイスも含む）は、１から少なくとも±０．１だけ偏差した屈折率を有している。第一個別光学部品（光学デバイスも含む）は、ｘ−ｙ側面および（−ｘ）−（−ｙ）側面、ｘ−ｚ側面および（−ｘ）−（−ｚ）側面並びにｙ−ｚ側面および（−ｙ）−（−ｚ）側面を有し、（−ｘ）−（−ｙ）側面（および或る状況ではｙ−ｚ側面または（−ｙ）−（−ｚ）側面も含む）は、光の主出口面として機能する。このようにして、例えば照明目的で、唯一の主軸線（第一個別光学部品または光学デバイスの（−ｘ）−（−ｙ）側面での出口面）を定めることができ、光は、できる限り４°〜４０°の半角以内の角度の矩形散乱をもつのが理想である。目標は、光学素子から出る光の８０％を超える強度をもつ最大幅並びにできる限り急勾配の側面、および主軸線の回りの所望角度を外れた光学素子から出る光の１０％よりできる限り小さい最小幅を得ることにある。これとは逆に、装飾目的では、しばしば、光が出る多数の主軸線が望まれており、これらの主軸線は、光学デバイスのビーム経路の形態により、光学デバイスまたは第一個別光学部品のｘ−ｙ側面、または光学デバイスまたは第一個別光学部品の（−ｘ）−（−ｙ）側面およびｙ−ｚ側面または（−ｙ）−（−ｚ）側面に配置される。この場合、これらの全ての側面は光の主出口面を形成する。
【０００７】
第一個別光学部品および光学デバイスの両者は、好ましくは例えばリフレクタおよび／またはレンズおよび／またはビームスプリッタ等の光学機能をそれぞれ遂行する多数の外面により境界を定められる。
【０００８】
特定実施形態では、任意の所望形状をもつ１つのキャビティまたは多数のキャビティが、少なくとも１つの個別光学部品に設けられ、従って光学デバイスにも設けられる。各キャビティは、キャビティの境界を定めかつ個別部品または光学デバイスの内部でミラーおよび／またはレンズおよび／またはビームスプリッタとして機能するキャビティ境界面を有している。キャビティ（単一または複数）の特定形態および配置は、ビーム経路がそれぞれの条件に適合できるようにする。キャビティは、好ましくは、これらのキャビティの長手方向長さのｙ方向に平行に延び、特に、ｘ−ｚ側面から（−ｘ）−（−ｚ）側面までの連続キャビティの形態を有している。これにより、キャビティを特に簡単に製造することが可能になる。
【０００９】
キャビティは、現在では、レーザカッティングにより特に経済的に形成でき、レーザは、ｘ−ｚ平面または−（−ｘ）−（−ｙ）平面に対して垂直に作用するのが好ましい。特定実施形態では、キャビティの鏡面状境界面は、光が偏向することなく事実上透過するように、さもなくば事実上全体的に反射するように作用する。
【００１０】
多数の個別部品は、これらが、強制閉（force-closed）態様で組立てられるか、互いに接合されるように構成される場合に特に容易に組立てられる。相互嵌合する個別部品はこれらの光学的機能を互いに補完し、これは、目標端部が正確に説明できる形態となりかつ位置、方向および強度に関して計画された射出散乱光が生じる。また、部品は互いに機械的に補完し、これにより、組立てられたときに、部品は、技術者および設計者により計画された全体的描写であって、視覚的印象に関する限り単一部品を表す全体的描写を形成する。
【００１１】
光学デバイスの形成について多くの変更を達成でき、このような光学デバイスを形成すべく多数の個別部品が組み合わされる。この方法では、個別部品は、特に、相互回転態様で組立てられ、これにより、個別部品のｘ軸線、ｙ軸線およびｚ軸線は、完成された光学デバイス内で互換できると考えられる。例えば装飾目的または特殊な解決方法のため、これによりまた、「ビームスプリッタ照明設備（beam splitter luminaires）」が形成される。このビームスプリッタ照明設備は射出光の多数の主軸線を有し、これらの主軸線の回りで、光は、特定角度範囲内の一定強度曲線で射出される。このような条件の場合には、角度は制限され、この角度範囲を超える領域の光は全く望ましくない。しかしながら、射出光をゼロにすることは物理的に不可能であるため、可能な限り最小となるように制限される。本願に開示する技術は、特に、非常に平らな光学素子並びに３次元の非常に複雑な形状、例えば、雪片または人造水晶または他の任意の所望結晶形状並びに光源の小さいサイズに適合する他の形状（ハリネズミ、ウニ、樹木、木の葉…）の光学素子を可能にする。
【００１２】
本発明の光学デバイスは、ＬＥＤに連結することを目的とする個別部品を有している。これは、個別部品を、ＬＥＤを備えたプリント回路板上に簡単にねじ止めするか、何らかの他の方法でフォームフィッティング（form-fitting）態様または強制閉態様によりプリント回路板に連結するのが好ましい。また、個別部品は、光学デバイスの光学的作用部品（単一または複数）が、例えば押し込むことにより簡単に個別部品に連結されるように構成するのが好ましい。他の特定実施形態では、ＬＥＤ光源への連結を目的として機能する個別部品が、個別光学部品として構成されかつビーム経路がこの個別部品を通してガイドされるように光学デバイスに一体化される。
【００１３】
ＬＥＤ光源に連結する目的を果たす個別部品は、光源が所与の公差内（例えば５／１００から１／１０ｍｍ）のみで移動でき、従って光が全体として目標を定めた態様で光学デバイス内に射出され、これにより所望の態様で周囲に射出されるように構成される。
【００１４】
本発明の光学デバイスおよび個別光学部品の他の実施形態は、特許請求の範囲の記載の他の実施態様項に記載されている。
【発明を実施するための最良の形態】
【００１５】
以下、添付図面を参照して本発明を説明する。添付図面において、同一対象物は、原則として同じ参照番号で示されている。
図１は、本発明の第一個別光学部品１０を、ｘ−ｚ側面（x-z flank）に面した側面図で示すものであり、この場合には、デカルト座標系のｘ−ｚ平面（x-z plane）内にある実質的に平らな外面１４を有している。この平らな外面１４は、ｙ方向に延びかつｘ−ｚ側面から（−ｘ）−（−ｚ）側面まで連続する形態を有するキャビティ１、２に通じる開口によりｘ−ｚ平面内に入り込んでいる。個別部品１０の（−ｘ）−（−ｚ）側面は、ｘ−ｚ側面と同じ寸法を有しかつキャビティ１、２に通じる対応開口を備えたｘ−ｚ平面内にある実質的に平らな外面と同様な形態を有している。第一個別光学部品１０は、ｚ方向の長手方向長さより小さいｙ方向の長手方向長さを有し、ｚ方向の長手方向長さは、ｘ方向の長手方向長さに等しいかこれより小さい。ここに図示する光学素子の場合には、長さ比は、例えばｘ＝３５ｍｍ、ｙ＝１７．８ｍｍ、ｚ＝２７ｍｍである。しかしながら、外形寸法が立方体を呈し、従って長さ比がｘ：ｙ：ｚ＝１：１；１である実施形態を考えることもできる。
【００１６】
ここに示す例では、第一個別光学部品１０はＰＭＭＡから形成され、キャビティ１，２はレーザカッティングにより作られる。レーザは、キャビティ１、２を作るべく、ｘ−ｚ平面に対して垂直な面内で作用した。
【００１７】
個別部品１０のｙ−ｚ側面および（−ｙ）−（−ｚ）側面は、本質的に凸状に湾曲した外面７と相互に対称的な形態で構成されている。これらの凸状曲率半径は、ｘ−ｙ側面から（−ｘ）−（−ｙ）側面に向かって減小し、かつ最終的には、キャンバをもたない平らな面内に融合する。これらの側面のうちの第一、第三側面には、ｘ−ｙ側面に面する側面が設けられており、図３および図４に示すように、各場合において、ｙ方向に全長に亘って延びている突出部５が存在し、該突出部５の補助により個別部品１０が、スナップ作用機構を介して他の個別部品１０”に連結される。しかしながら、このような連結は、他の形式のスナップ作用またはクランピング連結、スクリュウ連結、または解放可能でなくてもよい場合には、接合連結によっても確実に実行できる。キャビティ１，２の形態および第一個別光学部品１０の残りの幾何学的形状の形成に基いて、（−ｘ）−（−ｙ）方向に横たわる外面７の部分は、光の目標出光面として機能できる。しかしながら、このように構成されない場合には、散乱光の最小部分のみが全外面７から出る。
【００１８】
（−ｘ）−（−ｙ）側面は、ｘ−ｙ平面内にある実質的に平らな外面１６としての形態を有している。（−ｘ）−（−ｙ）側面は、ｙ方向に延びているスリット形開口１８を有し、該スリット形開口１８を介してキャビティ２が（−ｘ）−（−ｙ）側面の方向に開口している。事実上の外面（以下、「エンベロープ」と呼ぶ）は開口１８を備えた外面１６を有し、このエンベロープは、図４から容易に理解されるように、ｘ−ｙ平面内に投影した場合に矩形を呈する。（−ｘ）−（−ｙ）側面に対向するｘ−ｙ側面は外面２０を有し、このエンベロープも、ｘ−ｙ平面に投影した場合に同様に矩形を呈する。しかしながら、外面７のキャンバにより、ｘ−ｙ方向のこの矩形の大きさは、外面１６の大きさより小さい。外面２０は僅かに凸状でありかつその中央部に、第二個別光学部品１０’および／またはＬＥＤ光源６を保持するための切欠部２２を有している。ここには、ＬＥＤ光源の一例が示されている。切欠部２２は、第一個別光学部品１０のｚ方向の約２／３に亘って延びかつそのｙ方向の全大きさに亘って延びている。切欠部２２は、光学的屈折率、反射率および回折に対する条件に従って構成された底３および側壁２３を有している。この例では、側壁２３は、切欠部２２が外面２０から第一個別光学部品１０の本体の内部内へと外方に拡がるように、中央部から後退している。この例では、底３は、バレルのように切欠部２２内にキャンバした態様に構成されている。
【００１９】
図１の右側には、ＬＥＤ光源６から出た光ビーム経路により、幾つかの光ビーム８が例示されている。これから理解されるように、境界面を備えかつ側壁２３および底３に開口を備えたキャビティが、部分的に透過、屈折、回折されまたは全体的に反射される態様で光ビーム８に作用する。しかしながら、部分的透過および部分的反射が生じるように、これらの境界面でのこれらの効果の混合効果を作ることもできる。例えば光ビーム８1、８2は、大部分が底３を透過して、これらが事実上平行な光ビーム８1、８2として外面１６から出るように構成できる。光の法則に従って生じるビーム８1、８2の反射された一部は、側壁２３を通って第一個別光学部品１０の本体に入る。光ビーム８1は、最終的にキャビティ１を貫通照射し（transirradiates）、突出部５で、散乱光８1’として第一個別光学部品１０の本体から出る。このような散乱ビームは。特定のおよび既知のコーティング（光学的コーティング）により、必要に応じて除去できる。
【００２０】
ここに示す例では、光の散乱が望まれかつ目標態様に使用される。光ビーム８2はキャビティ２の境界面で反射されかつビーム８1、８2にほぼ平行な態様で外面１６から出る。光ビーム８3、８4は側壁を通って直接第一個別光学部品１０の本体に入る。内部からの光ビーム８3は、側壁２３およびキャビティ２の境界面で反射され、ビーム８1、８2、８2’に対して事実上平行な態様で、指向ビーム８3としてて最終的に外面１６から出る。光ビーム８4は、第一個別光学部品１０の本体に入った後にキャビティ１の境界面で反射され、かつビーム８1、８2、８2’ ８3にほぼ平行な態様で外面１６から同様に出る。このことは、境界面を備えたキャビティ１、２、底３および側壁２３を備えた開口２２、および全ての外面１６、７、２０が光学的機能を遂行すること、および所与の適当な態様が、反射および透過の両方、並びに屈折および／または回折である態様で作用することを示している。
【００２１】
図２は、本発明の第二個別部品１０’を、そのｙ−ｚ側面に面した側面図で示すものである。原則として、この第二個別光学部品１０’は、第一個別光学部品１０と同じ構造である。第二個別光学部品１０’のｚ方向の長手方向長さは、ｙ方向の長手方向長さより小さく、ｙ方向の長手方向長さは、ｘ方向の長手方向長さに等しいか、これより小さい。例えば、ここに示す例での個別部品１０’の長さは、ｘ＝２７ｍｍ、ｙ＝１０．９ｍｍ、ｚ＝８．９ｍｍである。その（−ｙ）−（−ｚ）側面およびそのｙ−ｚ側面は、実質的に平らな外面１４として構成され、これらの外面１４には、デカルト座標系のｙ−ｚ平面内に位置しかつｘ方向に延びている連続キャビティ２の開口および切欠部２２が入り込んでいる。キャビティ２は、次に、スリット形開口１８により、（−ｘ）−（−ｙ）側面を向いて開口している。（−ｘ）−（−ｚ）側面および／またはｘ−ｚ側面のみを向いて開口しているキャビティ１は設けられていない。
【００２２】
第二個別光学部品１０’の（−ｘ）−（−ｙ）側面１６の事実上のエンベロープがｘ−ｙ平面内に投影される場合には、矩形を呈する。反対側のｘ−ｙ側面およびそのエンベロープについても同じことがいえ、これから生じる矩形は、ｙ方向に短い長さを有する。ｘ−ｙ側面および（−ｘ）−（−ｙ）側面の態様は、その他の点で光学的機能に対する条件に適合し、この場合には、（−ｘ）−（−ｙ）側面１６は、バレルの形状で外方にキャンバした、本質的に中間の態様をなしている。
【００２３】
（−ｙ）−（−ｚ）側面およびｙ−ｚ側面の外面７も相互に対称的な態様、より詳しくは、第二個別光学部品１０’の本体がｚ方向の（−ｘ）−（−ｙ）側面からｘ−ｙ側面までテーパする態様で形成される。このテーパが、ここに示す例におけるように非常に小さい場合でも、本発明の個別部品の本体の態様は、（−ｘ）−（−ｙ）側面から出発して、ｘに沿って測定した最大幅（ＢX、max）の１／４の最大値となるｘ−ｙ測定までｚ方向にテーパしていることに確実に気付くことができる。（−ｘ）−（−ｙ）側面は、ＬＥＤ光源６を保持する切欠部２２を有している。この場合には、切欠部２２は（−ｚ）方向に延びているが、約１／４のみが第二個別光学部品１０’の本体内に延びている。底３は、バレルの形状で切欠部２２内にキャンバする態様で構成されている。側壁２３は、最初は切欠部２２を狭小化し、次に、底３に向けて切欠部２２を再び拡大する。切欠部２２の幾何学的形状すなわち切欠部２２の側壁２３および底３の形態は、光学的機能に対する条件に従って選択される。
【００２４】
図３および図４には、２つの個別光学部品すなわち第一および第二光学部品１０、１０’を備えた本発明の光学デバイス３０が示されている。個別部品１０、１０’は図１および図２の個別部品と同様な形態に構成されている。個別光学部品１０、１０’は、強制閉態様で互いに内部に配置され、第二個別光学部品１０’のｘ軸線、ｙ軸線およびｚ軸線は、第一個別光学部品１０のｘ軸線、ｙ軸線およびｚ軸線に対して回転され、これにより、両ｚ軸線は同一的に整合されるが、両個別部品１０、１０’のｘ軸線およびｙ軸線は、互いに９０°の角度をなして垂直的に回転される。しかしながら、第一個別光学部品１０は、この突出部５を介して、スナップ作用機構により、本質的に「Ｃ」の形状を有する他の個別部品１０”に連結される。２つの個別光学部品１０、１０’と同様に、Ｃ形個別部品１０”もＰＭＭＡで作られた個別光学部品である。その２つの自由端３１により、Ｃ形の他の個別部品は、第一個別光学部品１０をスパンしかつ自由端３１の端領域内に配置されたノーズ３２の補助により、後方から突出部５をグリップする。僅かな弾性をもつ自由端３１は、同様に僅かな弾性をもつ突出部５と一緒に、ノーズ３２と相互作用するので、これらはスナップ作用ロックを形成する。該スナップ作用ロックを介して、個別部品１０（この中に個別部品１０’が挿入されている）は、個別部品１０”に容易に連結されるが、これから再び容易に分離することもできる。
【００２５】
その背領域９の中間において、Ｃ形の他の個別部品１０”は、ＬＥＤ光源６のハウジングを保持するための開口３４を有している。また、背領域９には、スクリュウ３８を保持する開口３６が、開口３４から間隔を隔てた態様で設けられている。前記スクリュウ３８は、他の個別部品１０”を、ＬＥＤ光源が固定される印刷回路板４０に固定するのに使用できる。図３の右側には、再び、ＬＥＤ光源から出る種々の光ビームが示されている。ビーム８ａで示すように、Ｃ形個別部品１０”も同様に光学的に活性である。ビーム８ａは他の個別部品１０”を通って第一個別光学部品１０の底３に衝突する。ビーム８ａはここで回折されかつ第一個別光学部品１０の本体を通って透過され、これにより、ビームは外面１６で光学デバイス３０から出る。ビーム８ａの他の部分は、第一個別光学部品１０の底３で反射され、再び第二個別光学部品１０’を通った後に、側壁２３を通って第一個別光学部品１０の本体に入る。ビーム８ａの他の部分は、キャビティ１を横断して、再び第一個別光学部品１０の本体から出る。この後、ビーム８ａの他の部分は、Ｃ形の他の個別部品に入り、他の個別部品１０”の自由端３１を介して多数回反射した後再びここから出て、最後に、第一個別光学部品１０およびこの種々のキャビティ１、２を通った後に、同様に外面１６を通って光学デバイス３０から出る。
【００２６】
ビーム経路のためのこの例の補助で図示するように、、個別光学部品としてのＣ形個別部品１０”の形態により、散乱光の損失を低減できる。しかしながら、ここに示す例では、これは、出ていく光がもはや均一方向にならないという事実をもたらす。なぜならば、ビーム８ａ’は、他のビームに対して平行な態様で外面１６から出ないからである。
【００２７】
図示の実施形態は、例示によって本発明を説明することを目的とするものであることは明白である。当業者ならば、本発明の変更が可能であることは明らかである。当業者にとっては、合理的な態様で種々の図面に示した要素を組み合わせることができることは明白であり、従って、図示の例はいかなる意味においても本発明を制限するものではない。
【図面の簡単な説明】
【００２８】
【図１】ｘ−ｚ側面に面した本発明の第一個別光学部品を示す側面図である。
【図２】ｙ−ｚ側面に面した本発明の第二個別光学部品を示す側面図である。
【図３】ｙ−ｘ側面に面した、ＬＥＤ光源を備えた印刷回路板上に取付けられた本発明の３つの個別光学部品から組立てられた本発明の光学デバイスを示す側面図である。
【図４】図３の光学デバイスを示す斜視図である。
【図１】
2009510677.tif 000003
【図２】
2009510677.tif 000004
【図３】
2009510677.tif 000005
【図４】
2009510677.tif 000006
【国際調査報告】
2009510677.tif 000007
2009510677.tif 000008
2009510677.tif 000009
2009510677.tif 000010